【手続補正書】
【提出日】平成16年11月17日(2004.11.17)
【手続補正１】
【補正対象書類名】明細書
【補正対象項目名】全文
【補正方法】変更
【補正の内容】
【書類名】  明細書
【発明の名称】  環状蛍光ランプ用包装容器
【特許請求の範囲】
【請求項１】  互いに平行に対向する一対の主面およびこの一対の主面間が形成する収容空間を包囲する側面からなる板状の紙材により構成された個装箱と；
この個装箱の収容空間内に収容された環状蛍光ランプと；
を具備し、複数の前記個装箱の主面同士が接合されているとともに、個装箱の少なくとも側面に接合される前記個装箱の個数が予め印刷して表示されていることを特徴とする環状蛍光ランプ用包装容器。
【請求項２】  前記個装箱の側面の一部は一方の主面の縁辺部を軸として開閉可能な蓋部を構成するものであって、蓋部の先端には蓋部の閉塞時に他方の主面の内側面に当接する差込片部が一体的に折曲形成され、他方の主面の差込片部が当接する部位には切欠部が形成されているとともに、接着剤がこの蓋部が構成されていない側面近傍の主面に塗布されていることを特徴とする請求項１記載の環状蛍光ランプ用包装容器。
【請求項３】  前記個装箱の主面同士の接合は、主面に接着剤が塗布された前記個装箱の収容空間内に環状蛍光ランプが収容された状態で行われることを特徴とする請求項１または２記載の環状蛍光ランプ用包装容器。
【発明の詳細な説明】
【０００１】
【発明の属する技術分野】
本発明は、複数の環状蛍光ランプを包装可能な環状蛍光ランプ用包装容器に関する。
【０００２】
【従来の技術】
従来、この種の包装容器としては、実開昭５８−１０７３８５号公報に記載されているように、複数の環状蛍光ランプを重ねた状態で収容可能な収容空間を有する包装容器を用意し、この包装容器に仕切板を環状蛍光ランプ間に挟んだ状態で複数の環状蛍光ランプを収容したり、複数の環状蛍光ランプの重合位置に容器内側から仕切片を突出させて環状蛍光ランプ同士が当接しないようにした構造が知られている。
【０００３】
このように、包装容器内の複数の環状蛍光ランプ間に仕切板や仕切片を位置させることで、輸送時などに外部からの衝撃が加わったときに環状蛍光ランプのバルブ同士がぶつかり合って破損に至ることを防止している。
【０００４】
しかし、このような複数の環状蛍光ランプを収容する包装容器は、環状蛍光ランプ単体を収容する個装用の包装容器とは別個に製作する必要があるため、製作コストがかさむとともに、包装容器の種類も増えて管理が煩雑になるという欠点を有する。
【０００５】
これに対し、特開平８−１７５５６６号公報には、複数の個装用容器を積み重ねた状態でポリエチレン、ポリプロピレンなどの合成樹脂製シートからなる結束体で固定する方法が知られている。例えば、図５のように、環状蛍光ランプ用の個装箱１０を２個積み重ねた状態で、フィルム状の結束体１２で巻回し、「２個用」という表示シール１４を貼付することで、個装箱１０，１０を用いて２個用の集合包装容器２０とすることが可能となり、製作コストや容器の種別管理を容易にすることが可能となる。
【０００６】
【発明が解決しようとする課題】
しかしながら、結束用の合成樹脂製フィルムは高価であるためコストがかさむ場合が多く、材質が合成樹脂であるため、リサイクルにも不向きである。また、数量表示用の表示シールも、個別に製作するのでその分コストが上昇してしまう。
【０００７】
また、集合包装容器を組み立てる場合、包装容器を積み重ねた状態で結束用のフィルムを専用機械で巻き付ける必要があり、作業が煩雑になっていた。
【０００８】
本発明は、上記問題点に鑑みなされたものであり、組み立てが簡単であり、かつコストも少なくてすむ複数個の環状蛍光ランプを収容する集合包装容器を提供することを目的とする。
【０００９】
【課題を解決するための手段】
請求項１の環状蛍光ランプ用包装容器は、互いに平行に対向する一対の主面およびこの一対の主面間が形成する収容空間を包囲する側面からなる板状の紙材により構成された個装箱と；この個装箱の収容空間内に収容された環状蛍光ランプと；を具備し、複数の前記個装箱の主面同士が接合されているとともに、個装箱の少なくとも側面には接合される前記個装箱の個数が予め印刷して表示されていることを特徴とする。
【００１０】
個装箱は、段ボールやボール紙などの板状の紙材から主面および側面が構成されたものである。主面および側面は一体的に用意された板状紙材から折曲げ形成されたものが製作の簡素化には好都合であるが、それぞれ別体に構成されていてもよい。
【００１１】
一対の主面はいずれも略正方形で形成されているのが一般的であるが、これに限らず、環状蛍光ランプが収容可能であれば多角形形状であってもよい。側面は、収容空間を包囲するように、一対の主面の縁辺部間に設けられたものである。なお、主面が略正方形であれば、個装箱は直方体となり、側面は４方向に設けられる。
【００１２】
環状蛍光ランプは、ＦＣＬ３０、３２および４０、ＦＨＣ２０、２７、３４および４１などの形名が挙げられるが、これらに限らない。
【００１３】
個装箱は、主面同士が接合されて、複数の個装箱が集合包装容器となる。例えば、ボンド、シリコーン接着剤などの合成樹脂製接着剤のほか、のり、両面テープなどを含む接着剤によって主面同士を接合することが可能である。
【００１４】
個装箱の少なくとも側面には、集合個数が印刷によって表示されている。すなわち、集合個数が２個の場合には「２個用」、「２箱セット」、「２本セット」または「２個入り」など、側面を見れば何個用の集合包装容器なのかが購入者に認識可能な表示であればよい。
【００１５】
集合包装容器は、倉庫での保管や店頭での商品陳列において集合包装容器同士を主面同士が向き合った状態で積み重ねることが多く、このとき外部に露出している側面の表示によって集合個数を認識することになるため、少なくとも側面に集合個数を印刷している。
【００１６】
従来のように、個装箱を複数個積み重ねてフィルム状の結束体で集合容器を組み立てることで個装箱を用いて集合用包装容器を製作することが可能となるが、結束体が必要となるためかえってコストがかさむ場合があるが、個装箱を接合することでコストの上昇を最小限に抑えることが可能となり、使用材料がほぼ板状の紙材だけなので、リサイクルにも適している。
【００１７】
また、個装箱用に製作された板状紙材を１個用、集合用に共通化するとともに、集合用の板状紙材の少なくとも側面部分に集合個数を専用印刷して表示しているので、表示シールを製作する場合に比べてコストを抑えることが可能となる。
【００１８】
請求項１の発明によれば、個装箱の主面同士を接合して集合包装容器とし、集合個数を個装箱の側面に専用印刷して表示しているので、製作を容易にするとともにコストの上昇を最小限に抑えることができる。
【００１９】
請求項２は、請求項１記載の環状蛍光ランプ用包装容器において、前記個装箱の側面の一部は一方の主面の縁辺部を軸として開閉可能な蓋部を構成するものであって、蓋部の先端には蓋部の閉塞時に他方の主面の内側面に当接する差込片部が一体的に折曲形成され、他方の主面の差込片部が当接する部位には切欠部が形成されているとともに、接着剤はこの蓋部が構成されていない側面近傍の主面に塗布されていることを特徴とする。
【００２０】
切欠部は、蓋部を開放する際に差込片部を指先に引っ掛けやすくするために形成されたものであり、その形状、大きさは特に限定されない。
【００２１】
このように、切欠部、差込片部を備えた個装箱の主面に接着剤を塗布（両面テープの場合には貼着）する場合、切欠部の近傍に接着剤が位置すると、主面同士の接合の際に接着剤が差込片部と切欠部の縁部の間に流出して両者が接着され、蓋部の開放が円滑に行われなくなるおそれがある。
【００２２】
そこで、切欠部、差込片部を備えた個装箱の主面のうち、差込片部が当接する部位には接着剤を塗布しないようにした。
【００２３】
請求項２の発明によれば、蓋部が構成されていない側面近傍の主面に接着剤が塗布されているので、差込片部と切欠部の縁部とが接着されることがなく、蓋の開放を円滑に行うことができる。
【００２４】
請求項３は、請求項１または２記載の環状蛍光ランプ用包装容器において、前記個装箱の主面同士の接合は、主面に接着剤が塗布された前記個装箱の収容空間内に環状蛍光ランプが収容された状態で行われることを特徴とする。
【００２５】
個装箱は、環状蛍光ランプが収容されていない状態では変形しやすく、接着剤による接合が所望に行われないおそれがある。
【００２６】
請求項３の発明によれば、環状蛍光ランプが収容された状態で接着剤によって主面同士の接合を行うようにしたので、個装箱同士を確実に接合することができる。
【００２７】
【発明の実施の形態】
以下、本発明の一実施形態を図面を参照して説明する。
【００２８】
図１は本発明の第１実施形態の環状蛍光ランプ用包装容器を示す斜視図である。図２は図１の包装容器の蓋部を開放した状態を示す斜視図である。なお、本実施形態は、集合個数が２個の場合の包装容器である。
【００２９】
本実施形態の蛍光ランプ包装容器１は、厚さ約１．０ｍｍの段ボールを板状の紙材として形成されている。なお、紙材の厚さは材質にもよるが最低でも０．２ｍｍほどあれば蛍光ランプの包装容器として十分な強度を確保できることを確認している。
【００３０】
個装箱１ａ，１ｂは、それぞれ、一対の主面２（対向する後方の主面の図示は省略する。）、この一対の主面２、一対の主面２，２間が形成する収容空間Ｓ、この収容空間Ｓを包囲するように主面２の縁辺部から直交方向に延在された４方向の側面３ａ，３ｂ（３ａ，３ｂにそれぞれ対向する３ｃ，３ｄの図示は省略）をぞれぞれ有している。
【００３１】
個装箱１ａ，１ｂの収容空間Ｓ内には、それぞれ環状蛍光ランプＬが収容されている。
【００３２】
側面３ｂ，３ｂおよび正面側の主面２には、集合個数表示部４が印刷されている。本実施形態の場合は「２箱セット」という文字が同一箇所に印刷されている。
【００３３】
個装箱１ａ，１ｂの側面３ａ，３ａは，一方の主面（図示していない背面側）の縁辺部を軸として開閉可能な蓋部３ａ1を構成しており、蓋部３ａ1，３ａ1の先端には蓋部３ａ1，３ａ1の閉塞時に他方の主面２の内側面に当接する差込片部３ａ2，３ａ2が一体的に折曲形成されている。また、他方の主面２の差込片部３ａ2が当接する部位には切欠部２ａが形成されている。
【００３４】
図３は、図１および２の環状蛍光ランプ用包装容器の組み立て状態を説明する分解斜視図である。図３を参照して、個装箱１ａ，１ｂの接合手順について説明する。まず、主面２の蓋部３ａ1を構成しない側面３ｂ，３ｄ（図示しない）の近傍に接着剤５を主面２の縁辺部に沿って塗布する。そして、個装箱１ａ，１ｂの主面２同士を当接させ、接合させる。
【００３５】
図４は、他の実施形態の環状蛍光ランプ用包装容器の組み立て状態を説明する分解斜視図である。この実施形態では、蓋部３ａ1および差込片部３ａ2から離れた主面２の四隅に点状に接着剤５を塗布したものであり、他の構成、組立工程については図１ないし図３と同様である。
【００３６】
本実施形態のように、個装箱１ａ，１ｂの主面２，２同士を接着剤５によって接合して集合包装容器とし、集合個数を個装箱１ａ，１ｂの側面３ｂ，３ｂに専用印刷して表示しているので、環状蛍光ランプ用包装容器１の製作を容易にすることができる。また、個装箱１ａ，１ｂ間の接合には結束体などの別部材を必要としないので、コストの上昇を最小限に抑えることができ、組立作業も簡素化することができる。
【００３７】
さらに、接着剤５は、蓋部３ａ1が構成されていない側面３ｂ，３ｄ近傍の主面に塗布されているので、差込片部３ａ2と切欠部２ａの縁部とが接着されることがなく、蓋部３ａ1の開放を円滑に行うことができる。
【００３８】
なお、上記実施形態では、集合個数が２個の場合について説明したが、本発明はこれに限定されず、集合個数を３個以上とするものに応用しても差し支えない。
【００３９】
【発明の効果】
請求項１の発明によれば、個装箱の主面同士を接合して集合包装容器とし、集合個数を個装箱の側面に専用印刷して表示しているので、製作を容易にするとともにコストの上昇を最小限に抑えることができる。
【００４０】
請求項２の発明によれば、蓋部が構成されていない側面近傍の主面に接着剤が塗布されているので、差込片部と切欠部の縁部とが接着されることがなく、蓋の開放を円滑に行うことができる。
【００４１】
請求項３の発明によれば、環状蛍光ランプが収容された状態で接着剤によって主面同士の接合を行うようにしたので、個装箱同士を確実に接合することができる。
【図面の簡単な説明】
【図１】本発明の第１実施形態の環状蛍光ランプ用包装容器を示す斜視図。
【図２】図１の包装容器の蓋部を開放した状態を示す斜視図。
【図３】図１および２の環状蛍光ランプ用包装容器の組み立て状態を説明する分解斜視図。
【図４】他の実施形態の環状蛍光ランプ用包装容器の組み立て状態を説明する分解斜視図。
【図５】従来の環状蛍光ランプ用包装容器を示す斜視図。
【符号の説明】
１…環状蛍光ランプ用包装容器、２…主面、３ａ，３ｂ…側面、３ａ1…蓋部、３ａ2…差込片部、４…表示部、５…接着剤。